(57)【要約】【課題】優先設定に応じた記録媒体のサイズを提示することを目的とする。【解決手段】表示部と手差し供給部とを備える記録媒体供給装置は、前記手差し供給部に配置された記録媒体の第一方向のサイズである第一サイズを検出する第一検出部と、前記記録媒体の前記第一方向と異なる第二方向のサイズである第二サイズを検出する第二検出部と、前記記録媒体供給装置が優先して使用する設定の情報である優先設定情報を記憶する記憶部と、前記第一サイズと前記第二サイズと前記優先設定情報とに基づいて、前記記録媒体に関する少なくとも１つの候補サイズを推定し、前記少なくとも１つの候補サイズを、前記記録媒体のサイズの候補として前記表示部に表示させる候補表示制御部とを備える。【選択図】図３
2020055664.tif 000002
【特許請求の範囲】
【請求項１】
表示部と手差し供給部とを備える記録媒体供給装置であって、
前記手差し供給部に配置された記録媒体の第一方向のサイズである第一サイズを検出する第一検出部と、
前記記録媒体の前記第一方向と異なる第二方向のサイズである第二サイズを検出する第二検出部と、
前記記録媒体供給装置が優先して使用する設定の情報である優先設定情報を記憶する記憶部と、
前記第一サイズと前記第二サイズと前記優先設定情報とに基づいて、前記記録媒体に関する少なくとも１つの候補サイズを推定し、前記少なくとも１つの候補サイズを、前記記録媒体のサイズの候補として前記表示部に表示させる候補表示制御部とを備える
記録媒体供給装置。
【請求項２】
前記表示部に表示された前記少なくとも１つの候補サイズの中からのユーザによる選択を受け付ける第一選択受付部と、
ユーザによる記録媒体の任意のサイズの選択を受け付ける第二選択受付部とをさらに備える
請求項１に記載の記録媒体供給装置。
【請求項３】
ユーザによって選択された記録媒体のサイズの頻度を蓄積する頻度蓄積部と、
前記頻度に応じて、前記少なくとも１つの候補サイズの中の優先度を決定する優先度決定部とをさらに備え、
前記候補表示制御部は、前記優先度を示す表示を伴って、前記少なくとも１つの候補サイズを前記表示部に表示させる
請求項１または２に記載の記録媒体供給装置。
【請求項４】
ユーザによる記録媒体のサイズの優先度の設定を受け付ける優先度受付部をさらに備え、
前記優先度決定部は、前記頻度に応じた優先度よりもユーザによって設定された優先度を優先して、前記少なくとも１つの候補サイズの中の優先度を決定する
請求項３に記載の記録媒体供給装置。
【請求項５】
ユーザの情報の入力を受け付けるユーザ情報受付部と、
ユーザ毎に応じた記録媒体の候補サイズのリストを保持する保持部とをさらに備え、
前記候補表示制御部は、前記ユーザ情報受付部によって受け付けられたユーザの情報に対応する前記リストを参照し、前記少なくとも１つの候補サイズの中の前記リストに含まれている候補サイズを前記表示部に表示させる
請求項１〜４のいずれか一項に記載の記録媒体供給装置。
【請求項６】
前記優先設定情報は、前記記録媒体供給装置が使用される使用地域に関する情報を含む
請求項１〜５のいずれか一項に記載の記録媒体供給装置。
【請求項７】
手差し供給部を備える記録媒体供給装置の記録媒体供給方法であって、
前記手差し供給部に配置された記録媒体の第一方向のサイズである第一サイズを検出するステップと、
前記記録媒体の前記第一方向と異なる第二方向のサイズである第二サイズを検出するステップと、
前記記録媒体供給装置が優先して使用する設定の情報である優先設定情報を取得するステップと、
前記第一サイズと前記第二サイズと前記優先設定情報とに基づいて、前記記録媒体に関する少なくとも１つの候補サイズを推定するステップと、
前記少なくとも１つの候補サイズを、前記記録媒体のサイズの候補として提示するステップとを含む
記録媒体供給方法。
【発明の詳細な説明】
【技術分野】
【０００１】
本発明は、記録媒体供給装置及び記録媒体供給方法に関する。
【背景技術】
【０００２】
従来、操作者が記録媒体を手差し供給するための手差し供給口を備える記録媒体供給装置がある。
【０００３】
例えば、記録媒体供給装置として、記録媒体としての用紙を手差し供給口に供給する手差し供給手段を備える画像形成装置がある（例えば、特許文献１参照）。特許文献１の画像形成装置は、手差し供給口に供給される用紙の幅を検出するセンサと、当該用紙が横置きか縦置きかを検出するセンサとを備える。画像形成装置は、２つのセンサの検出結果を用いて用紙サイズを特定する。さらに、画像形成装置は、特定された用紙サイズに対応する用紙の定形サイズを画面に表示し、該当する定形サイズを操作者に選択させる。画像形成装置は、選択されたサイズに従った画像を手差し供給口に供給される用紙に形成する。
【発明の概要】
【発明が解決しようとする課題】
【０００４】
しかしながら、画像形成装置は、世界の様々な地域で使用される可能性があり、地域間で移動されて使用される可能性もある。さらに、例えば、日本、北米及び欧州のように、各地域で一般的に用いられる用紙の定形サイズは異なる。特許文献１の画像形成装置は、使用地域の設定のような当該画像形成装置が優先して使用すべき設定である優先設定に応じて、手差し供給手段の用紙の定形サイズを提示できない場合がある。
【０００５】
そこで、本開示の記録媒体供給装置及び記録媒体供給方法は、優先設定に応じた記録媒体のサイズを提示することを目的とする。
【課題を解決するための手段】
【０００６】
本発明の一実施形態による記録媒体供給装置は、表示部と手差し供給部とを備える記録媒体供給装置であって、前記手差し供給部に配置された記録媒体の第一方向のサイズである第一サイズを検出する第一検出部と、前記記録媒体の前記第一方向と異なる第二方向のサイズである第二サイズを検出する第二検出部と、前記記録媒体供給装置が優先して使用する設定の情報である優先設定情報を記憶する記憶部と、前記第一サイズと前記第二サイズと前記優先設定情報とに基づいて、前記記録媒体に関する少なくとも１つの候補サイズを推定し、前記少なくとも１つの候補サイズを、前記記録媒体のサイズの候補として前記表示部に表示させる候補表示制御部とを備える。
【０００７】
本発明の一実施形態による記録媒体供給方法は、手差し供給部を備える記録媒体供給装置の記録媒体供給方法であって、前記手差し供給部に配置された記録媒体の第一方向のサイズである第一サイズを検出するステップと、前記記録媒体の前記第一方向と異なる第二方向のサイズである第二サイズを検出するステップと、前記記録媒体供給装置が優先して使用する設定の情報である優先設定情報を取得するステップと、前記第一サイズと前記第二サイズと前記優先設定情報とに基づいて、前記記録媒体に関する少なくとも１つの候補サイズを推定するステップと、前記少なくとも１つの候補サイズを、前記記録媒体のサイズの候補として提示するステップとを含む。
【発明の効果】
【０００８】
本開示の技術によれば、優先設定に応じた記録媒体のサイズを提示することが可能になる。
【図面の簡単な説明】
【０００９】
【図１】実施の形態１に係る画像形成装置の構成の一例を示す断面側面図
【図２】実施の形態１に係る画像形成装置の手差し供給部の構成の一例を示す平面図
【図３】実施の形態１に係る画像形成装置の機能的な構成の一例を示すブロック図
【図４】実施の形態１に係る装置依存情報格納部に格納される手差し供給部の用紙サイズの情報の一例を示す図
【図５】実施の形態１に係る装置依存情報格納部に格納される手差し供給部の用紙種類の情報の一例を示す図
【図６】実施の形態１に係る装置依存情報格納部に格納される手差し供給部の用紙厚さの情報の一例を示す図
【図７Ａ】実施の形態１に係る装置依存情報格納部に格納される使用地域の絞り込み情報の一例を示す図
【図７Ｂ】実施の形態１に係る装置依存情報格納部に格納される使用地域の絞り込み情報の一例を示す図
【図８】実施の形態１に係る装置依存情報格納部に格納される使用地域の絞り込み情報の一例を示す図
【図９】実施の形態１に係る装置依存情報格納部に格納される使用地域の絞り込み情報の一例を示す図
【図１０】実施の形態１に係る手差し設定部の機能的な構成の一例を示すブロック図
【図１１】実施の形態１に係る画像形成装置のハードウェア構成の一例を示すブロック図
【図１２】実施の形態１に係る画像形成装置の動作の一例を示すシーケンス図
【図１３】実施の形態１に係る画像形成装置の操作画面の一例を示す図
【図１４】実施の形態１に係る画像形成装置の手差しトレイ用紙設定の操作画面の一例を示す図
【図１５】実施の形態１に係る画像形成装置の用紙設定変更の操作画面の一例を示す図
【図１６】実施の形態１に係る画像形成装置の用紙設定変更の操作画面の一例を示す図
【図１７】実施の形態１に係る画像形成装置の用紙設定変更の操作画面の一例を示す図
【図１８】実施の形態１に係る画像形成装置の用紙設定変更の操作画面の一例を示す図
【図１９】使用地域が日本である場合の封筒系のサイズの絞り込み情報の一例を示す図
【図２０】用紙種類が封筒である場合の画像形成装置の用紙選択の操作画面の一例を示す図
【図２１】用紙種類が封筒である場合の画像形成装置の用紙選択の操作画面の一例を示す図
【図２２】実施の形態１に係る画像形成装置の用紙設定の呼出／登録の操作画面の一例を示す図
【図２３】実施の形態１に係る画像形成装置の用紙のセット方法のガイダンス画面の一例を示す図
【図２４】用紙のセット方法のガイダンスの表示のための情報の一例を示す図
【図２５】実施の形態２に係る画像形成装置の手差し設定部の機能的な構成の一例を示すブロック図
【図２６】実施の形態３に係る画像形成装置の手差し設定部の機能的な構成の一例を示すブロック図
【図２７】実施の形態３に係る用紙の定形サイズを選択するための用紙選択画面の一例を示す図
【図２８】実施の形態３に係る頻度蓄積部に記憶される情報の一例を示す図
【図２９】実施の形態４に係る画像形成装置の手差し設定部の機能的な構成の一例を示すブロック図
【図３０】実施の形態４に係る頻度蓄積部に記憶される情報の一例を示す図
【図３１】実施の形態５に係る画像形成装置の手差し供給部の構成の一例を示す平面図
【図３２】実施の形態５に係る画像形成装置の機能的な構成の一例を示すブロック図
【発明を実施するための形態】
【００１０】
以下、本発明の実施の形態について添付の図面を参照しつつ説明する。なお、本明細書及び図面において、実質的に同一の機能構成を有する構成要素については、同一の符号を付することによって重複した説明を省く。
【００１１】
（実施の形態１）
＜画像形成装置１の構成＞
実施の形態１に係る画像形成装置１の構成を説明する。本実施の形態では、記録媒体供給装置が画像形成装置１であるとして説明する。なお、記録媒体供給装置は、画像形成装置１に限定されず、表示部と手差し供給部とを備え、手差し供給部を介して記録媒体を供給できる装置であればよい。画像形成装置１は、記録媒体供給装置の一例である。
【００１２】
図１は、実施の形態１に係る画像形成装置１の構成の一例を示す断面側面図である。図２は、実施の形態１に係る画像形成装置１の手差し供給部４０の構成の一例を示す平面図である。図１及び図２に示すように、本実施の形態では、画像形成装置１は、電子写真方式の画像形成装置であり、記録媒体上に画像を形成する複合機能複写機である。なお、画像形成装置は、記録媒体上に画像を形成するいかなる装置であってもよく、例えば、単なる複写機又は印刷機であってもよい。記録媒体は、その表面上に画像が形成されることができればよい。記録媒体の例は、紙、布、フィルム又は板等のシート材であるが、これに限定されない。
【００１３】
本実施の形態に係る画像形成装置１は、スキャナ機能、複写機能、プリンタ機能及びファクシミリ機能を備える。画像形成装置１は、紙等の記録媒体から読み取った情報の画像データを生成する又は当該画像データの画像を記録媒体上に形成することができる。また、画像形成装置１は、当該画像データを、ＰＣ（Personal Computer）等のコンピュータ装置２に送る、又は、ＰＢＸ（構内交換機：Private Branch eXchanger）３等を介して電話回線を通じて外部の送信先に送ることができる。さらに、画像形成装置１は、コンピュータ装置２から、及び、ＰＢＸ３等を介して取得された情報の画像を記録媒体上に形成することができる。
【００１４】
画像形成装置１は、操作部１０と、画像読取部２０と、印刷部３０とを備える。操作部１０は、操作者から画像形成装置１の操作に関する指令を受け付けるインタフェースであり、本実施の形態では、入力部１１と表示部１２とを備える。入力部１１は、操作者から入力を受け付け、例えば、タッチパネル及びボタン等で構成される。表示部１２は、各種情報を示す画像を表示し、例えば、ディスプレイ及びタッチパネル等で構成される。入力部１１と表示部１２とは、別々の装置として配置されてもよく、タッチパネルのように一体化された装置として配置されてもよい。本実施の形態では、入力部１１は、タッチパネル及びボタンであり、タッチパネルは、表示部１２の機能も実現する。
【００１５】
画像読取部２０は、記録媒体上の情報を読み取り、画像データとして印刷部３０等に出力する。画像読取部２０は、ＡＤＦ（自動原稿送り装置：Auto Document Feeder）２１及び画像読取装置２２を備える。ＡＤＦ２１は、その上に配置された紙原稿を順次、画像読取装置２２に送る。画像読取装置２２は、ＡＤＦ２１から送られる各紙原稿の表面から画像データを取得し、印刷部３０等に出力する。
【００１６】
印刷部３０は、画像データに基づきトナー像を形成し、記録媒体に印刷する。本実施の形態では、印刷される記録媒体は、紙であるとして説明する。さらに、紙の記録媒体の例は、シート状の紙及び封筒等である。本実施の形態及び特許請求の範囲において、紙の記録媒体を「用紙」又は「転写紙」とも呼ぶ。
【００１７】
印刷部３０は、露光装置３１、感光体３２、現像装置３３、搬送ベルト３４、定着装置３５、給紙ユニット３６及び手差し供給部４０を備える。露光装置３１は、画像読取装置２２等から取得される画像データに対応して、感光体３２に光を照射することで、感光体３２の表面上に静電潜像を形成する。現像装置３３は、感光体３２上の静電潜像にトナーを付着させることで、感光体３２の表面にトナー像を形成する。搬送ベルト３４は、供給される用紙にトナー像を転写する。定着装置３５は、転写後の用紙に熱を加えることで、トナー像を用紙に定着させる。定着装置３５を通過後の転写紙は、画像形成装置１の外部に排出される。
【００１８】
手差し供給部４０は、画像形成装置１の側部の手差し供給口４１に配置された手差しトレイ４２及び搬送ローラ４３を有する。手差しトレイ４２は、手差し供給口４１から外方へ延び、その上に１枚以上の用紙が載置される。搬送ローラ４３は、手差しトレイ４２上の用紙を１枚ずつ手差し供給口４１内に移動させ、用紙ガイドを経て、画像形成装置１内のレジストローラ３７に搬送する。
【００１９】
また、給紙ユニット３６は用紙を収容し、収容された用紙は、給紙ローラで１枚ずつ取り出され、複数の用紙ガイドを経てレジストローラ３７に搬送される。レジストローラ３７は、搬送された用紙を感光体３２へ搬送する。
【００２０】
図２に示すように、手差し供給部４０は、手差しトレイ４２の上面４２ａに、用紙Ｐのサイズに合わせて用紙Ｐをガイドする２つのガイド板４４を有している。２つのガイド板４４は、搬送ローラ４３による用紙Ｐの搬送方向Ｄ２と略垂直である方向Ｄ１に移動可能である。２つのガイド板４４は、手差しトレイ４２上の用紙Ｐの幅方向である方向Ｄ１の両側から用紙Ｐを挟むことによって、用紙Ｐをガイドする。２つのガイド板４４は、接続部材等を介して連結されており、互いに向かう方向及び離れる方向に同期して移動する。
【００２１】
さらに、手差し供給部４０は、２つのガイド板４４の少なくとも一方の位置を検出する第一検出部４５を有する。第一検出部４５は、ガイド板４４の位置を検出することによって、手差しトレイ４２上の用紙Ｐの方向Ｄ１の幅寸法を検出する。以下、この検出を「主走査」とも呼ぶ。具体的には、第一検出部４５は、２つのガイド板４４の間隔を、用紙Ｐの方向Ｄ１の幅寸法として検出する。第一検出部４５は、２つのガイド板４４の位置を検出してもよく、２つのガイド板４４の中間位置に対する１つのガイド板４４の位置を検出してもよい。ここで、方向Ｄ１は、第一方向の一例であり、用紙の方向Ｄ１の幅寸法は、第一サイズの一例である。
【００２２】
さらに、手差し供給部４０は、手差しトレイ４２上の用紙Ｐの方向Ｄ２の長さ寸法を検出するための第二検出部４６を有する。本実施の形態では、１つの第二検出部４６が手差し供給口４１から方向Ｄ２へ距離Ａ１離れた位置に配置され、当該第二検出部４６は、第二検出部４６上に用紙が存在するか否かを検出する。これにより、手差しトレイ４２上の用紙Ｐの長さが、長さＡ１以上であるか長さＡ１未満であるかが検出される。つまり、第二検出部４６は、用紙Ｐの長さ寸法として、長さ寸法が長さＡ１以上であるか長さＡ１未満であるかを検出する。以下、この検出を「副走査」とも呼ぶ。
【００２３】
なお、「主走査」及び「副走査」は、単なる名称であり、一方がメインの検出であり且つ他方がサブの検出であることを意味するわけではない。また、方向Ｄ２に沿って複数の第二検出部４６が配置されてもよい。これにより、第二検出部４６によって検出される用紙の長さのバリエーションが増える。ここで、方向Ｄ２は第二方向の一例であり、用紙の方向Ｄ２の長さ寸法は第二サイズの一例である。
【００２４】
また、第一検出部４５は、ガイド板４４の位置を検出できる構成であればよい。例えば、第一検出部４５は、ガイド板４４の移動に連動して抵抗値が変化する抵抗であってもよく、光又は超音波等を用いてガイド板４４の位置を検出するセンサであってもよい。第二検出部４６は、第二検出部４６上に存在する用紙を検出できる構成であればよい。例えば、第二検出部４６は、用紙の接触を検知する接触センサであってもよく、用紙による光の遮断等を検知する光学センサであってもよい。又は、第一検出部４５及び第二検出部４６は、レーザ光等を用いて手差しトレイ４２上を走査することによって、用紙の幅寸法及び長さ寸法を検出するセンサであってもよい。
【００２５】
画像形成装置１の機能的な構成を説明する。図３は、実施の形態１に係る画像形成装置１の機能的な構成の一例を示すブロック図である。図３に示すように、画像形成装置１は、操作部１０と、手差し供給部４０と、エンジン５０と、本体制御部６０と、電源７０とを備える。手差し供給部４０は、第一検出部４５及び第二検出部４６を含む。電源７０は、電源回路等で構成され、商用交流電源等の外部電源から交流電力の供給を受ける。電源７０は、電源制御部６４によって制御されることで、供給される交流電力を、直流電力及び交流電力に変換して画像形成装置１の各構成要素に供給する。
【００２６】
エンジン５０は、画像形成装置１を動作させるための種々の駆動装置の総称である。エンジン５０は、手差し制御部５１、地域情報制御部５２及び地域情報格納部５３を含む。
【００２７】
本体制御部６０は画像形成装置１の全体を制御する。本体制御部６０は、手差し供給部４０、エンジン５０及び操作部１０の動作を制御する。本体制御部６０は、エンジン制御部６１、装置依存情報制御部６２、装置依存情報格納部６３及び電源制御部６４を含む。
【００２８】
操作部１０は入力部１１、表示部１２、手差し設定部１３及び表示制御部１４を含む。
【００２９】
手差し制御部５１は、第一検出部４５及び第二検出部４６から検出信号を受け取る。手差し制御部５１は、第一検出部４５の検出信号から、ガイド板４４の間隔を特定し、当該間隔を、手差しトレイ４２上の用紙の幅寸法に決定する。例えば、手差し制御部５１は、第一検出部４５の検出信号から特定される間隔の寸法が変化した後、変化後の寸法が所定の時間変化しない場合、変化後の寸法を用紙の幅寸法に決定してもよい。
【００３０】
手差し制御部５１は、第二検出部４６の検出信号から、第二検出部４６上に用紙が存在する否かを特定する。手差し制御部５１は、存在する場合、当該用紙の長さ寸法を長さＡ１以上に決定し、存在しない場合、当該用紙の長さ寸法を長さＡ１未満に決定する。例えば、手差し制御部５１は、第二検出部４６の検出信号が所定の時間変化しない場合、当該検出信号から特定される寸法を用紙の長さ寸法に決定してもよい。手差し制御部５１は、決定された幅寸法及び長さ寸法をエンジン制御部６１に出力する。
【００３１】
地域情報制御部５２は、画像形成装置１に設定される使用地域を管理する。画像形成装置１が使用される地域である使用地域は、画像形成装置１の出荷前及び移設時等において、操作部１０又は画像形成装置１に接続される外部装置等を介して設定される。
【００３２】
例えば、操作部１０において使用地域を設定するモードが起動されると、地域情報制御部５２は、地域情報格納部５３に格納される使用地域のリストを参照し、当該リストを表示部１２に表示する。操作者が、入力部１１を介してリストの中から使用地域を選択すると、地域情報制御部５２は、選択された使用地域を画像形成装置１の使用地域に決定し、決定された使用地域の情報を地域情報格納部５３に格納し且つエンジン制御部６１に出力する。
【００３３】
なお、地域情報制御部５２は、入力部１１を介して、画像形成装置１が使用される国等の使用地域に関する情報が入力されると、当該情報と地域情報格納部５３のリストの使用地域とを対応付け、使用地域を決定してもよい。
【００３４】
また、地域情報制御部５２は、画像形成装置１が起動されると、地域情報格納部５３に格納される画像形成装置１に設定されている使用地域の情報をエンジン制御部６１に出力する。例えば、画像形成装置１の起動は、画像形成装置１の電源プラグをコンセントに差し込むことであってもよく、画像形成装置１の電源スイッチをＯＦＦ状態からＯＮ状態にすることであってもよい。また、画像形成装置１の停止は、画像形成装置１の電源プラグをコンセントから抜くことであってもよく、画像形成装置１の電源スイッチをＯＮ状態からＯＦＦ状態にすることであってもよい。
【００３５】
地域情報格納部５３は、画像形成装置１に設定可能である使用地域のリストと、画像形成装置１に設定されている使用地域である設定使用地域とを格納する。ここで、設定使用地域の情報は、優先設定情報の一例である。
【００３６】
エンジン制御部６１は、エンジン５０の各駆動装置に、電源制御部６４を介して供給される電力を分配し、各駆動装置の動作を制御する。例えば、エンジン制御部６１は、入力部１１を介して指定される用紙の供給部に応じて、各駆動装置の動作を制御する。用紙の供給部は、手差し供給部４０及び給紙ユニット３６である。さらに、手差し供給部４０の用紙に印刷する場合、エンジン制御部６１は、手差し制御部５１から取得される当該用紙の幅寸法及び長さ寸法と、地域情報制御部５２から取得される設定使用地域とに基づき、各駆動装置の動作を制御する。また、エンジン制御部６１は、設定使用地域と用紙の幅寸法及び長さ寸法とを装置依存情報制御部６２に出力する。
【００３７】
装置依存情報制御部６２は、印刷される用紙に関する情報を取得し、操作部１０の手差し設定部１３に出力する。具体的には、装置依存情報制御部６２は、エンジン制御部６１から画像形成装置１の設定使用地域を取得する。装置依存情報制御部６２は、設定使用地域と装置依存情報格納部６３に格納される装置依存情報とを照合することによって、設定使用地域に対応する装置依存情報を取得し、操作部１０の手差し設定部１３に出力する。また、装置依存情報制御部６２は、入力部１１を介して指定される用紙の供給部の情報を取得し、エンジン制御部６１に出力する。
【００３８】
装置依存情報は、画像形成装置１の機種等に依存する情報である。装置依存情報は、画像形成装置１が印刷可能である用紙サイズ、用紙種類及び用紙厚さ等の用紙情報と、用紙の幅寸法及び長さ寸法と使用地域とから用紙の定形サイズを特定するための絞り込み情報とを含む。装置依存情報は、使用地域毎に設定され、装置依存情報格納部６３に記憶されている。ここで、装置依存情報は、優先設定情報の一例である。
【００３９】
例えば、絞り込み情報は、手差しトレイ４２上での第一検出部４５及び第二検出部４６の位置を示す情報を含む。例えば、上記位置を示す情報は、第一検出部４５の２つのガイド板４４の中央からの距離、並びに、第二検出部４６の距離Ａ１及びその方向Ｄ２を含む。用紙厚さは、片面印刷及び両面印刷それぞれについて印刷可能である用紙厚さを含む。定形サイズは、規格によって定められているサイズであり、矩形の用紙の場合、各定形サイズに対して短辺及び長辺の寸法が定められている。
【００４０】
装置依存情報格納部６３は、上述したように、画像形成装置１の機種等に依存する装置依存情報を格納する。装置依存情報を構成する用紙サイズ、用紙種類、用紙厚さ及び絞り込み情報は、予め設定され、装置依存情報格納部６３に記憶される。ここで、装置依存情報格納部６３は記憶部の一例である。
【００４１】
本実施の形態では、画像形成装置１の優先設定情報は、画像形成装置１の使用地域に関する情報を含む情報である。つまり、画像形成装置１の使用地域に関する情報は、優先設定情報の一例である。さらに、画像形成装置１の使用地域に関する情報は、画像形成装置１に設定されている設定使用地域の情報と、当該設定使用地域に対応した装置依存情報とのうちの少なくとも１つを含む情報である。つまり、設定使用地域の情報及び設定使用地域に対応した装置依存情報は、画像形成装置１の使用地域に関する情報の一例である。
【００４２】
なお、優先設定情報は、画像形成装置１の使用地域に関する情報に限定されず、画像形成装置１が優先して使用する設定の情報であればよい。例えば、優先設定情報は、画像形成装置１の使用地域、使用状況又は設定状態等に応じて画像形成装置１が優先して使用する動作モードの情報を含んでもよく、画像形成装置１の使用状況又は設定状態等に応じて画像形成装置１が優先して使用する用紙サイズの情報を含んでもよい。
【００４３】
さらに、装置依存情報を説明する。図４は、実施の形態１に係る装置依存情報格納部６３に格納される手差し供給部４０の用紙サイズの情報の一例を示す図である。図４に示すように、手差し供給部４０に使用可能である用紙サイズの情報は、用紙の定形サイズの名称と、印刷時の用紙の送り方向（ＬＥＦ（横送り）及びＳＥＦ（縦送り））と、送り方向に対する用紙の幅及び長さとを対応付けて含む。用紙サイズの情報は、上記に加えて、用紙を自動で反転して印刷可能であるか否かの情報を含んでもよく、用紙の両面に自動で印刷可能であるか否かの情報を含んでもよい。図４及び以降の図では、可能は「１」で示され、不可能は「０」で示されている。また、用紙サイズの情報は、各地域における使用状態の情報を含んでもよい。図４では、日本、北米及び欧州の３つの地域における用紙サイズの使用状態が示されている。図４において、一般的に使用される状態には「Ｊ」が設定され、使用可能である状態には「Ｅ」が設定され、使用されない状態には何も設定されていない。
【００４４】
図５は、実施の形態１に係る装置依存情報格納部６３に格納される手差し供給部４０の用紙種類の情報の一例を示す図である。図５に示すように、手差し供給部４０に使用可能である用紙種類の情報は、用紙の種類と、各地域で当該種類の用紙が使用可能であるか否かを示す情報とを対応付けて含む。図５では、日本と日本以外の地域とについて、各種類の用紙が使用可能であるか否かが示されている。用紙種類の情報は、各種類の用紙の両面に自動で印刷可能であるか否かを示す情報を含んでもよく、画像形成装置１に初期設定されている各種類の用紙の厚さを地域毎に含んでもよく、画像形成装置１が使用可能である各種類の用紙の厚さのリストの参照先を含んでもよい。
【００４５】
図６は、実施の形態１に係る装置依存情報格納部６３に格納される手差し供給部４０の用紙厚さの情報の一例を示す図である。図６に示すように、手差し供給部４０に使用可能である用紙厚さの情報は、画像形成装置１に対して予め設定されている用紙厚さのパラメータと、用紙厚さの呼称とを対応付けて含む。用紙厚さの情報は、各厚さの用紙の両面に自動で印刷可能であるか否かを示す情報を含んでもよい。
【００４６】
さらに、絞り込み情報を説明する。図７Ａ、図７Ｂ、図８及び図９は、実施の形態１に係る装置依存情報格納部６３に格納される各使用地域の絞り込み情報の一例を示す図である。図７Ａ及び図７Ｂは、使用地域が日本である場合の絞り込み情報の一例を示す。図７Ａは、副走査結果が長さＡ１未満であるケースに該当し、図７Ｂは、副走査結果が長さＡ１以上であるケースに該当する。図８は、使用地域が北米である場合の絞り込み情報の一例を示し、副走査結果が長さＡ１未満であるケースに該当する。図９は、使用地域が欧州である場合の絞り込み情報の一例を示し、副走査結果が長さＡ１未満であるケースに該当する。
【００４７】
図７Ａ、図７Ｂ、図８及び図９の各列のうち、最も左の列は、主走査の寸法範囲を示す。主走査結果の範囲の右列は、主走査の各寸法範囲と各定形サイズ及びその送り方向との対応関係を示す。定形サイズ及びその送り方向の各列は、定形サイズの主走査の寸法と、定形サイズ副走査の寸法と、副走査結果と、主走査結果とを示す。副走査結果は、長さＡ１未満を「０」で示し、長さＡ１以上を「１」で示す。主走査結果は、主走査の寸法範囲に該当する場合、定形サイズ及び送り方向を示し、該当しない場合、何も示さない。
【００４８】
電源制御部６４は、操作部１０の入力部１１を介して送られる指令及び情報等に応じて、電源７０の電力変換及び電力供給を制御する。さらに、電源制御部６４は、画像形成装置１の状態を制御する。画像形成装置１の状態の例は、画像形成装置１の機能が制限され且つ消費電力が少ないスリープ状態、及び、画像形成装置１がその機能を素早く実行することができ且つ消費電力がより多い待機状態である。
【００４９】
図１０は、実施の形態１に係る手差し設定部１３の機能的な構成の一例を示すブロック図である。図３及び図１０に示すように、手差し設定部１３は、手差し用紙に関する設定を行うためのアプリケーションである手差し設定アプリケーションを制御する。手差し設定部１３は、候補表示制御部１３ａｂと、入力情報受付部１３ｃと、情報出力部１３ｄとを含み、これらは手差し設定アプリケーションを実行する。候補表示制御部１３ａｂは、用紙候補推定部１３ａと表示情報制御部１３ｂとを含む。
【００５０】
用紙候補推定部１３ａは、装置依存情報制御部６２から、設定使用地域に対応する装置依存情報と、手差し供給部４０に配置された用紙の幅寸法及び長さ寸法とを取得する。例えば、入力部１１を介して、手差し供給部４０を用いた給紙の指令が操作者によって入力されると、手差し設定部１３は起動し、用紙候補推定部１３ａは上記情報を取得する。用紙候補推定部１３ａは、装置依存情報に含まれる絞り込み情報と、用紙の幅寸法及び長さ寸法とから、用紙の定形サイズの候補（以下、「用紙の推定サイズ」とも呼ぶ）を推定する。該当する定形サイズがない場合、「不定形」が候補である。用紙候補推定部１３ａは、用紙の推定サイズと装置依存情報とを、表示情報制御部１３ｂに出力する。
【００５１】
表示情報制御部１３ｂは、入力部１１を介して入力される指令及び情報を入力情報受付部１３ｃを介して取得し、当該指令及び情報に応じて、装置依存情報に含まれる用紙の情報及び推定サイズの中から適切な情報を選択し表示制御部１４に出力する。
【００５２】
よって、候補表示制御部１３ａｂは、設定使用地域に対応する装置依存情報と手差し供給部４０に配置された用紙の幅寸法及び長さ寸法とに基づいて、用紙の定形サイズの候補を推定し、用紙の定形サイズの候補を、用紙のサイズの候補として表示部１２に表示させるための指令を表示制御部１４に出力する。
【００５３】
入力情報受付部１３ｃは、入力部１１を介して入力される指令及び情報を取得し、用紙候補推定部１３ａ、表示情報制御部１３ｂ及び情報出力部１３ｄに出力する。例えば、入力情報受付部１３ｃは、表示情報制御部１３ｂによって出力された情報の中のいずれかが、入力部１１を介して操作者によって選択されると、選択された情報を情報出力部１３ｄ等に出力する。
【００５４】
情報出力部１３ｄは、入力情報受付部１３ｃから取得された情報を装置依存情報制御部６２に出力する。装置依存情報制御部６２は、当該情報をエンジン制御部６１等に出力し、エンジン制御部６１は当該情報に従って各駆動装置を制御する。
【００５５】
表示制御部１４は、表示部１２への画面の表示を制御する。例えば、表示制御部１４は、入力部１１を介して入力される指令及び情報に対応した画像データを生成し、表示部１２に表示させる。表示制御部１４は、表示情報制御部１３ｂによって出力される用紙の情報及び推定サイズに対応した画像データを生成し、表示部１２に表示させる。
【００５６】
ここで、用紙候補推定部１３ａの推定機能の詳細を説明する。例えば、用紙候補推定部１３ａは、設定使用地域が日本である場合、図７Ａ又は図７Ｂの情報を参照する。例えば、主走査結果が８９．０ｍｍ未満であり且つ副走査結果が距離Ａ１未満である場合、用紙候補推定部１３ａは、図７Ａの情報に基づき、用紙の推定サイズを不定形に決定する。主走査結果が９４．０ｍｍであり且つ副走査結果が距離Ａ１未満である場合、用紙候補推定部１３ａは、図７Ａの情報に基づき、用紙の推定サイズを郵便はがき及びＡ６に決定する。主走査結果が８９．０ｍｍ未満であり且つ副走査結果が距離Ａ１以上である場合、用紙候補推定部１３ａは、図７Ｂの情報に基づき、用紙の推定サイズを不定形に決定する。主走査結果が９４．０ｍｍであり且つ副走査結果が距離Ａ１以上である場合、用紙候補推定部１３ａは、図７Ｂの情報に基づき、用紙の推定サイズを不定形に決定する。
【００５７】
用紙候補推定部１３ａは、設定使用地域が北米である場合、図８の情報、又は、副走査結果が長さＡ１以上である北米の絞り込み情報を参照する。例えば、主走査結果が９４．０ｍｍであり且つ副走査結果が距離Ａ１未満である場合、用紙候補推定部１３ａは、図８の情報に基づき、用紙の推定サイズをＡ６に決定する。
【００５８】
用紙候補推定部１３ａは、設定使用地域が欧州である場合、図９の情報、又は副走査結果が長さＡ１以上である欧州の絞り込み情報を参照し、用紙の定形サイズの候補を決定する。
【００５９】
さらに、画像形成装置１のハードウェア構成を説明する。図１１は、実施の形態１に係る画像形成装置１のハードウェア構成の一例を示すブロック図である。図１１に示すように、手差し供給部４０は、第一検出部４５と第二検出部４６とを含む。
【００６０】
エンジン５０は、ＣＰＵ（Central Processing Unit）１０１と、ＲＯＭ（Read Only Memory）１０２と、ＲＡＭ（Random Access Memory）１０３と、メモリ１０４とを構成要素として含む。ＣＰＵ１０１は、手差し制御部５１及び地域情報制御部５２の機能を実現する。メモリ１０４は、地域情報格納部５３の機能を実現する。
【００６１】
本体制御部６０は、ＣＰＵ１１１と、ＲＯＭ１１２と、ＲＡＭ１１３と、メモリ１１４と、通信Ｉ／Ｆ１１５と、入出力Ｉ／Ｆ１１６とを構成要素として含む。ＣＰＵ１１１は、エンジン制御部６１、装置依存情報制御部６２及び電源制御部６４の機能を実現する。メモリ１１４は、装置依存情報格納部６３の機能を実現する。
【００６２】
通信Ｉ／Ｆ１１５は、イーサネット（登録商標）などのコンピュータネットワーク及びインターネットなどの通信網等と画像形成装置１とを、有線通信又は無線通信を介して、情報等の送受信を可能に接続する。
【００６３】
入出力Ｉ／Ｆ１１６は、画像形成装置１と外部デバイスとを、有線通信又は無線通信を介して、情報等の送受信を可能に接続する。外部デバイスの例は、パーソナルコンピュータなどのコンピュータ装置、カメラ、スマートフォン、記憶装置及び記録媒体等である。記憶装置の例は、ＨＤＤ（Hard Disk Drive）及びＳＳＤ（Solid State Drive）等であり、記録媒体の例は、フラッシュメモリ、記録ディスク及びメモリカード等である。
【００６４】
操作部１０は、ＣＰＵ１２１と、ＲＯＭ１２２と、ＲＡＭ１２３と、入力部１１と、表示部１２とを構成要素として含む。ＣＰＵ１２１は、手差し設定部１３及び表示制御部１４の機能を実現する。
【００６５】
手差し供給部４０の構成要素、エンジン５０の構成要素、本体制御部６０の構成要素、操作部１０の構成要素、及び電源７０は、例えばバスを介して互いに接続されている。なお、上記構成要素は、有線通信及び無線通信のいずれを介して接続されてもよい。
【００６６】
メモリ１０４及び１１４は、不揮発性半導体メモリ、ＨＤＤ又はＳＳＤ等の記憶装置で構成される。なお、メモリ１０４及び１１４はＲＯＭ及び／又はＲＡＭを含んでもよい。
【００６７】
ＣＰＵ１０１、１１１及び１２１はプロセッサ等で構成され、ＲＯＭ１０２、１１２及び１２２は不揮発性半導体記憶装置等で構成され、ＲＡＭ１０３、１１３及び１２３は揮発性半導体記憶装置等で構成される。各構成要素を動作させるプログラムは、ＲＯＭ又はメモリ等に予め保持されている。プログラムは、ＣＰＵによって、ＲＯＭ又はメモリ等からＲＡＭに読み出されて展開される。ＣＰＵは、ＲＡＭに展開されたプログラム中のコード化された各命令を実行する。なお、プログラムは、ＲＯＭ及びメモリに限らず、例えば記録ディスク等の記録媒体に格納されていてもよい。また、プログラムは、有線ネットワーク、無線ネットワーク又は放送等を介して伝送され、ＲＡＭに取り込まれてもよい。
【００６８】
なお、ＣＰＵ１０１、１１１及び１２１によって機能が実現されると上述した各構成要素は、ＣＰＵ等のプログラム実行部によって実現されてもよく、回路によって実現されてもよく、プログラム実行部及び回路の組み合わせによって実現されてもよい。例えば、これらの構成要素は、集積回路であるＬＳＩ（大規模集積回路：Large Scale Integration）として実現されてもよい。これらの構成要素は個別に１チップ化されてもよく、一部又は全てを含むように１チップ化されてもよい。ＬＳＩとして、ＬＳＩ製造後にプログラムすることが可能なＦＰＧＡ（Field Programmable Gate Array）、ＬＳＩ内部の回路セルの接続及び／又は設定を再構成可能なリコンフィギュラブル・プロセッサ、又は、特定用途向けに複数の機能の回路が１つにまとめられたＡＳＩＣ（Application Specific Integrated Circuit）等が利用されてもよい。
【００６９】
＜画像形成装置１の動作＞
実施の形態１に係る画像形成装置１の動作を説明する。図１２は、実施の形態１に係る画像形成装置１の動作の一例を示すシーケンス図であり、具体的には、手差し供給部４０を用いた印刷動作の一例を示す。図１２に示すように、操作者が画像形成装置１を起動する（ステップＳ１）と、地域情報制御部５２は、地域情報格納部５３から画像形成装置１の設定使用地域を示す地域情報を取得し、エンジン制御部６１に出力する（ステップＳ２）。
【００７０】
操作者は、手差しトレイ４２上に用紙を配置し、ガイド板４４を方向Ｄ１に移動させ、当該用紙の両側部に隣接させる、つまり手差し配置する（ステップＳ３）。そして、第一検出部４５及び第二検出部４６はそれぞれ、用紙の方向Ｄ１の幅寸法及び方向Ｄ２の長さ寸法を検出し、手差し制御部５１に出力する（ステップＳ４）。さらに、手差し制御部５１は、用紙の幅寸法及び長さ寸法であるサイズ情報をエンジン制御部６１に出力する。
【００７１】
次いで、操作者は、手差しトレイ４２上の用紙の設定をするために、操作部１０の入力部１１を介して、図１３に示すような表示部１２の操作画面Ｉ１を操作する（ステップＳ５）。以下において、表示部１２はタッチパネルであり、入力部１１の機能の少なくとも一部を兼ねるとして説明する。操作者は、操作画面Ｉ１における「手差し」のボタンを指で押すことによって、手差し設定画面の表示を要求する入力を行う。なお、図１３は、実施の形態１に係る画像形成装置１の操作画面の一例を示す図である。
【００７２】
これにより、手差し設定部１３は、手差し設定アプリケーションを起動する。画像形成装置１の起動後、手差し設定アプリケーションが初めて起動された場合、手差し設定部１３は、装置依存情報を装置依存情報制御部６２に要求する（ステップＳ６）。その後、装置依存情報制御部６２は、エンジン制御部６１に地域情報を要求して取得し（ステップＳ７）、装置依存情報格納部６３を参照して、設定使用地域に対応する装置依存情報を探索し取得する（ステップＳ８）。そして、装置依存情報制御部６２は、設定使用地域に対応する装置依存情報である対応情報を手差し設定部１３に出力する。
【００７３】
このように、手差し設定部１３は、画像形成装置１の起動後に手差し設定アプリケーションが初めて起動された場合、対応情報を取得し、画像形成装置１の停止までＲＡＭ１２３等の記憶装置に保持する。手差し設定部１３は、手差し設定アプリケーションの起動を、ボタン「手差し」が選択されると行ってもよく、手差しトレイ４２に用紙が配置されると自動的に行ってもよい。また、手差し設定部１３は、上記２つの手差し設定アプリケーションの起動方法が、操作者によって選択可能であるように構成されてもよい。
【００７４】
対応情報を保持する手差し設定部１３は、手差しトレイ４２の用紙の状態を示す手差し情報を、装置依存情報制御部６２に要求する（ステップＳ９）。手差し情報は、ステップＳ４で取得された用紙のサイズ情報を含む。さらに、装置依存情報制御部６２は、エンジン制御部６１に手差し情報を要求する（ステップＳ１０）。装置依存情報制御部６２は、用紙のサイズ情報を取得し手差し設定部１３に出力する。
【００７５】
手差し設定部１３は、対応情報と用紙のサイズ情報とを用いて、手差しトレイ４２上の用紙の推定サイズを決定する。さらに、手差し設定部１３は、用紙の推定サイズを含む画面である、図１４に示すような手差しトレイ用紙設定画面Ｉ２を表示部１２に表示させる（ステップＳ１０）。なお、図１４は、実施の形態１に係る画像形成装置１の手差しトレイ用紙設定の操作画面の一例を示す図である。
【００７６】
手差しトレイ用紙設定画面Ｉ２において、サイズの欄には、用紙の推定サイズのうちの１つが表示され、種類の欄には、用紙の種類が表示される。サイズの欄には、推定サイズのうちのいずれが表示されてもよい。なお、推定サイズが検出されなかった場合、サイズの欄には、予め設定されたデフォルトの定形サイズ、前回に手差し供給部４０で使用された定形サイズ、又は、最も使用頻度の高い定形サイズ等が表示されてもよい。また、種類の欄に表示される用紙の種類は、予め設定されたデフォルトの種類、前回に手差し供給部４０で使用された種類、又は、最も使用頻度の高い種類等であってもよい。
【００７７】
上述のように、画像形成装置１は、ステップＳ１〜Ｓ１０の処理を行うことによって、手差しトレイ４２上に配置された用紙のサイズを推定し、操作者に提示する。
【００７８】
さらに、以下において、手差しトレイ用紙設定画面Ｉ２を表示後、手差しトレイ４２上の用紙のサイズの決定処理を含む画像形成装置１の動作を説明する。手差しトレイ４２上の用紙のサイズの決定後、画像形成装置１は、決定された用紙のサイズに従った画像を、手差しトレイ４２上の用紙に形成する、つまり印刷する。
【００７９】
図１４に示すように、操作者は、手差しトレイ用紙設定画面Ｉ２に表示される用紙のサイズ及び種類を承諾できる場合、ボタン「ＯＫ］を押し、承諾できない場合、「取消」、「用紙設定の呼び出し／登録」、「用紙のセット方法」及び「設定変更」のボタンのいずれかを押す。
【００８０】
手差し設定部１３は、ボタン「取消」が押されると、手差し供給部４０を用いた印刷を取り消す。手差し設定部１３は、ボタン「用紙設定の呼出／登録」が押されると、よく使う用紙設定を保存する又は表示部１２の画面に呼び出す処理を行う。手差し設定部１３は、ボタン「用紙のセット方法」が押されると、用紙のセット方法のガイダンスを画面に表示する。手差し設定部１３は、ボタン「設定変更」が押されると、表示部１２の画面を用いて、表示されている用紙のサイズ及び／又は種類を変更する処理を行う。
【００８１】
例えば、ボタン「設定変更」が押されると、手差し設定部１３は、図１５〜図１８に示すような用紙選択画面Ｉ３〜Ｉ６を表示部１２に順次表示させる。図１５〜図１８は、実施の形態１に係る画像形成装置１の用紙設定変更の操作画面の一例を示す図である。
【００８２】
まず、手差し設定部１３は、用紙種類を選択するための用紙選択画面Ｉ３を表示する。手差し設定部１３は、保持する設定使用地域に対応した装置依存情報に含まれる用紙種類の１つ以上を、用紙種類の候補として表示する。当該装置依存情報内の用紙種類の全てが表示されてもよく、予め設定された用紙種類が表示されてもよい。
【００８３】
操作者による用紙種類の選択後、手差し設定部１３は、用紙厚さを選択するための用紙選択画面Ｉ４を表示する。手差し設定部１３は、設定使用地域に対応した装置依存情報に含まれる用紙厚さの１つ以上を、用紙厚さの候補として表示する。当該装置依存情報内の用紙厚さの全てが表示されてもよく、予め設定された用紙厚さが表示されてもよい。
【００８４】
操作者による用紙厚さの選択後、手差し設定部１３は、用紙の定形サイズを選択するための用紙選択画面Ｉ５を表示する。手差し設定部１３は、手差し設定部１３によって推定された推定サイズの１つ以上を、用紙サイズの候補として表示する。用紙選択画面Ｉ５では、手差しトレイ用紙設定画面Ｉ２で表示された用紙サイズが「検知されたサイズ」として表示され、推定サイズが「他の候補サイズ」として表示されている。さらに、用紙選択画面Ｉ５では、候補サイズ以外の用紙サイズを選択するためのボタン「他のサイズから選択」も表示される。操作者が、表示される用紙サイズのいずれかを選択し、ボタン「ＯＫ」を押すと、手差し設定部１３は、その選択結果を反映した手差しトレイ用紙設定画面Ｉ２を表示する。
【００８５】
操作者によりボタン「他のサイズから選択」が選択されると、手差し設定部１３は、用紙の他の定形サイズを選択するための用紙選択画面Ｉ６を表示する。手差し設定部１３は、設定使用地域に対応した装置依存情報に含まれる定形サイズの１つ以上を、用紙サイズの候補として表示する。当該装置依存情報内の定形サイズの全てが表示されてもよく、予め設定された定形サイズが表示されてもよい。操作者が、表示されるサイズのいずれかを選択し、ボタン「ＯＫ」を押すと、手差し設定部１３は、その選択結果を反映した手差しトレイ用紙設定画面Ｉ２を表示する。
【００８６】
上述では、ボタン「設定変更」が押されるときの手差し設定部１３の処理として、用紙種類が普通紙のケースを説明したが、用紙種類の他の例、具体的には、封筒系のケースを説明する。手差し設定部１３は、設定使用地域に対応した装置依存情報として、図１９に示すような封筒系のサイズの絞り込み情報を保持する。なお、図１９は、使用地域が日本である場合の封筒系のサイズの絞り込み情報の一例を示す図である。手差し設定部１３は、封筒系のサイズの絞り込み情報と、用紙の幅寸法及び長さ寸法とから、封筒系の用紙の定形サイズを推定する。
【００８７】
例えば、手差し設定部１３は、サイズ欄が「不定形」である手差しトレイ用紙設定画面Ｉ２でボタン「設定変更」が押された後、用紙選択画面Ｉ３で「封筒」が選択されると、例えば図２０に示すように、他の候補サイズとして封筒系のサイズを示す用紙選択画面Ｉ７を表示する。図２０は、用紙種類が封筒である場合の画像形成装置１の用紙選択の操作画面の一例を示す図である。このとき、手差し設定部１３は、手差し設定部１３によって推定された推定サイズのうちの封筒系のサイズを表示する。
【００８８】
さらに、用紙選択画面Ｉ７において、操作者によりボタン「他のサイズから選択」が選択されると、手差し設定部１３は、例えば図２１に示すように、他の封筒系のサイズを選択するための用紙選択画面Ｉ８を表示する。図２１は、用紙種類が封筒である場合の画像形成装置１の用紙選択の操作画面の一例を示す図である。手差し設定部１３は、設定使用地域に対応した装置依存情報に含まれる封筒系のサイズの１つ以上を表示する。
【００８９】
また、手差しトレイ用紙設定画面Ｉ２において、ボタン「用紙設定の呼出／登録」が押されると、手差し設定部１３は、図２２に示すような用紙設定の呼出／登録画面Ｉ９を表示部１２に表示させる。なお、図２２は、実施の形態１に係る画像形成装置１の用紙設定の呼出／登録の操作画面の一例を示す図である。当該画面Ｉ９には、登録済みの用紙種類、用紙厚さ及び用紙サイズの組み合わせが表示される。さらに、用紙選択画面Ｉ３〜Ｉ６等を用いた設定変更後、ボタン「用紙設定の呼出／登録」が押されると、手差し設定部１３は、設定変更後の用紙種類、用紙厚さ及び用紙サイズの組み合わせを表示する。操作者が画面Ｉ９のボタン「登録」を押すと、手差し設定部１３は、上記組み合わせを、設定変更前の用紙サイズの推定に用いられた用紙の幅寸法及び長さ寸法と対応付けて保存する。
【００９０】
また、手差しトレイ用紙設定画面Ｉ２において、ボタン「用紙のセット方法」が押されると、手差し設定部１３は、図２３に示すような用紙のセット方法のガイダンス画面Ｉ１０を表示部１２に表示させる。図２３は、実施の形態１に係る画像形成装置１の用紙のセット方法のガイダンス画面の一例を示す図である。ガイダンス画面Ｉ１０では、はがき、封筒、及びその他の用紙のセット仕様が表示されている。セット仕様は、用紙のセット方向を示す用紙の下辺の位置、読み取り面の上下位置、及び、セット時の封筒のフラップの開閉状態等を含む。さらに、各用紙について、コピー及びプリントを含む印刷ケース毎に、セット仕様が表示されている。手差し設定部１３は、ガイダンスの表示のための情報を、設定使用地域に対応した装置依存情報から取得し、ＲＡＭ１２３等の記憶装置に保持してもよい。
【００９１】
図２４は、用紙のセット方法のガイダンスの表示のための情報の一例を示す図である。図２４に示すように、手差し設定部１３は、ガイダンスに表示する用紙の種類毎に、コピー及びプリントそれぞれでの用紙セット仕様を保持する。さらに、コピーの場合、コピー元用紙の読み取り用ガラス面への用紙セット仕様も保持されてもよい。図２４に示す情報は、装置依存情報に含まれ、手差しアプリケーションが初めて開かれる際に、手差し設定部１３が設定使用地域に対応した装置依存情報から情報を取得してもよい。
【００９２】
＜効果等＞
上述のような実施の形態１に係る画像形成装置１は、表示部１２と手差し供給部４０とを備える。画像形成装置１は、手差し供給部４０に配置された用紙の第一方向としての方向Ｄ１のサイズである第一サイズを検出する第一検出部４５と、用紙の第一方向と異なる第二方向としての方向Ｄ２のサイズである第二サイズを検出する第二検出部４６と、画像形成装置１が優先して使用する設定の情報である優先設定情報を記憶する記憶部としての装置依存情報格納部６３と、候補表示制御部１３ａｂとを備える。候補表示制御部１３ａｂは、第一サイズと第二サイズと優先設定情報とに基づいて、用紙に関する少なくとも１つの候補サイズを推定し、少なくとも１つの候補サイズを、用紙のサイズの候補として表示部１２に表示させる。例えば、優先設定情報は、画像形成装置１が使用される使用地域に関する情報を含んでもよい。
【００９３】
上記構成によると、画像形成装置１は、第一サイズ及び第二サイズから用紙の形状及び寸法を推定し、用紙の形状及び寸法と優先設定情報とから、例えば使用地域のような画像形成装置１が優先して使用する設定である優先設定に対応した用紙サイズの候補を推定することができる。よって、画像形成装置１は、手差し供給部４０に配置された用紙に対して、優先設定に対応した用紙のサイズを提示することができる。
【００９４】
（実施の形態２）
実施の形態２に係る画像形成装置は、手差し供給部４０に配置された用紙について、提示する候補サイズからの選択と、任意のサイズの入力とを受け付ける。以下、実施の形態２について、実施の形態１と異なる点を中心に説明し、実施の形態１と同様の点の説明を適宜省略する。
【００９５】
図２５は、実施の形態２に係る画像形成装置の手差し設定部１３Ａの機能的な構成の一例を示すブロック図である。実施の形態２に係る画像形成装置の手差し設定部１３Ａ以外の機能的な構成は、実施の形態１と同様である。実施の形態２に係る画像形成装置のハードウェア構成は、実施の形態１と同様である。
【００９６】
図２５に示すように、実施の形態２に係る手差し設定部１３Ａは、候補表示制御部１３Ａａｂと、情報出力部１３Ａｄと、第一選択受付部１３Ａｅと、第二選択受付部１３Ａｆとを含む。候補表示制御部１３Ａａｂは、用紙候補推定部１３Ａａと表示情報制御部１３Ａｂとを含む。
【００９７】
用紙候補推定部１３Ａａは、用紙の推定サイズと、設定使用地域に対応する装置依存情報に含まれる用紙の定形サイズのリスト（以下、「用紙のリストサイズ」とも呼ぶ）とを、表示情報制御部１３Ａｂに出力する。
【００９８】
表示情報制御部１３Ａｂは、用紙の推定サイズ及びリストサイズを表示制御部１４に出力する。表示情報制御部１３Ａｂは、用紙の推定サイズ及びリストサイズを１つのリストとして出力し、用紙の推定サイズ及びリストサイズを同時に、表示制御部１４に表示させてもよい。又は、表示情報制御部１３Ａｂは、用紙の推定サイズ及びリストサイズを２つのリストとして出力し、入力部１１を介した選択により、用紙の推定サイズ又はリストサイズを、表示制御部１４に表示させてもよい。
【００９９】
第一選択受付部１３Ａｅは、表示部１２に表示される用紙の定形サイズの中から、入力部１１を介して選択された推定サイズを取得し、情報出力部１３Ａｄ及び表示情報制御部１３Ａｂに出力する。つまり、第一選択受付部１３Ａｅは、用紙の少なくとも１つの推定サイズの中からの操作者による選択を受け付ける。
【０１００】
第二選択受付部１３Ａｆは、表示部１２に表示される用紙の定形サイズの中から、入力部１１を介して選択されたリストサイズを取得し、情報出力部１３Ａｄ及び表示情報制御部１３Ａｂに出力する。つまり、第二選択受付部１３Ａｆは、操作者による用紙の任意のサイズの選択を受け付ける。
【０１０１】
情報出力部１３Ａｄは、第一選択受付部１３Ａｅ及び第二選択受付部１３Ａｆから取得された情報を装置依存情報制御部６２に出力する。
【０１０２】
実施の形態２に係る画像形成装置のその他の構成及び動作は、実施の形態１と同様であるため、その説明を省略する。そして、上述のような実施の形態２に係る画像形成装置によると、実施の形態１と同様の効果が得られる。
【０１０３】
さらに、実施の形態２に係る画像形成装置は、表示部１２に表示された用紙の少なくとも１つの候補サイズの中からのユーザによる選択を受け付ける第一選択受付部１３Ａｅと、ユーザによる用紙の任意のサイズの選択を受け付ける第二選択受付部１３Ａｆとを備えてもよい。上記構成よると、ユーザが手差し供給部４０に配置された用紙のサイズを知っている場合、当該用紙のサイズの設定が簡易且つ確実になる。
【０１０４】
また、実施の形態２に係る画像形成装置は、用紙の推定サイズ及びリストサイズを表示部１２に表示するが、これに限定されない。画像形成装置は、用紙の推定サイズを表示部１２に表示し、且つ、操作者のキー入力等による任意の用紙の定形サイズの入力を受け付ける入力欄を表示部１２に表示してもよい。そして、画像形成装置は、用紙の推定サイズ又は入力サイズを受け付けてもよい。
【０１０５】
（実施の形態３）
実施の形態３に係る画像形成装置は、手差し供給部４０に配置された用紙について、操作者によって過去に選択された用紙サイズの頻度に応じて、用紙の推定サイズの候補の優先度を決定し、優先度を示す表示を伴って推定サイズの候補を提示する。以下、実施の形態３について、実施の形態１及び２と異なる点を中心に説明し、実施の形態１及び２と同様の点の説明を適宜省略する。
【０１０６】
図２６は、実施の形態３に係る画像形成装置の手差し設定部１３Ｂの機能的な構成の一例を示すブロック図である。実施の形態３に係る画像形成装置の手差し設定部１３Ｂ以外の機能的な構成は、実施の形態１と同様である。実施の形態３に係る画像形成装置のハードウェア構成は、実施の形態１と同様であるが、手差し設定部１３Ｂは、エンジン５０及び本体制御部６０と同様にメモリをさらに備える。
【０１０７】
図２６に示すように、実施の形態３に係る手差し設定部１３Ｂは、候補表示制御部１３Ｂａｂと、入力情報受付部１３ｃと、情報出力部１３Ｂｄと、変更受付部１３Ｂｇと、優先度決定部１３Ｂｈと、頻度カウント部１３Ｂｉと、頻度蓄積部１３Ｂｊとを含む。候補表示制御部１３Ｂａｂは、用紙候補推定部１３ａと表示情報制御部１３Ｂｂとを含む。
【０１０８】
変更受付部１３Ｂｇは、表示部１２に表示される用紙の推定サイズの候補の優先度に対する変更を、入力部１１を介して受け付ける。変更受付部１３Ｂｇは、受け付けた変更を優先度決定部１３Ｂｈに出力する。例えば、図２７は、実施の形態３に係る用紙の定形サイズを選択するための用紙選択画面の一例を示す。図２７の用紙選択画面Ｉ１１において、最も高い優先度の推定サイズＩ１１ａである「Ａ４」が上部で大きく表示され、推定サイズのリストＩ１１ｂが推定サイズＩ１１ａの下方に表示されている。なお、リストＩ１１ｂの推定サイズは、優先度が高い順等に並べられてもよい。さらに、リストＩ１１ｂの下方に、優先度の高い用紙サイズを決定するための項目Ｉ１１ｃが表示されている。リストＩ１１ｂのいずれかの推定サイズと項目Ｉ１１ｃとが選択された状態で、「ＯＫ」のボタンＩ１１ｄが押されると、選択された推定サイズが、最も高い優先度の用紙サイズとして、変更受付部１３Ｂｇによって受け付けられる。ここで、変更受付部１３Ｂｇは優先度受付部の一例である。
【０１０９】
頻度蓄積部１３Ｂｊは、手差し供給部４０を用いた過去の印刷の際に採用された用紙サイズの頻度を、用紙サイズ毎に蓄積する。つまり、頻度蓄積部１３Ｂｊは、操作者によって過去に選択された用紙のサイズの頻度を蓄積する。例えば、当該頻度は、図１４〜図１８に示す手差しトレイ用紙設定画面Ｉ２及び用紙設定変更の操作画面を介して、用紙サイズが選択された回数であってもよい。又は、当該頻度は、手差し供給部４０における用紙サイズの印刷回数であってもよく、印刷枚数であってもよい。また、当該頻度の対象期間の例は、入力部１１を介して指定された時点から現在までの期間、及び、現在から所定の時点まで遡る期間等である。
【０１１０】
頻度蓄積部１３Ｂｊは、図２８に示すように、用紙サイズ等に対応する用紙の名称と選択回数とを対応付けて記憶する。図２８は、実施の形態３に係る頻度蓄積部１３Ｂｊに記憶される情報の一例を示す図である。頻度蓄積部１３Ｂｊは、不揮発性等のメモリによって実現される。
【０１１１】
頻度カウント部１３Ｂｉは、手差し供給部４０に配置された用紙について、印刷の際に採用された用紙サイズの情報を情報出力部１３Ｂｄから取得する。さらに、頻度カウント部１３Ｂｉは、用紙サイズの情報を取得する毎に頻度蓄積部１３Ｂｊを参照し、取得された用紙サイズの選択回数を１増やすことで、蓄積された選択回数を更新する。
【０１１２】
優先度決定部１３Ｂｈは、頻度蓄積部１３Ｂｊに蓄積される用紙サイズの頻度に応じて、推定サイズの中の優先度を決定する。具体的には、優先度決定部１３Ｂｈは、表示情報制御部１３Ｂｂから推定サイズを取得する。さらに、優先度決定部１３Ｂｈは、頻度蓄積部１３Ｂｊを参照し、推定サイズそれぞれの選択回数を取得する。優先度決定部１３Ｂｈは、推定サイズの中で選択回数が最も多い推定サイズを、最も高い優先度の用紙サイズに決定する。なお、優先度決定部１３Ｂｈは、他の推定サイズに対して、選択回数が多い順に優先度の順位を決めてもよい。また、優先度決定部１３Ｂｈは、変更受付部１３Ｂｇから、操作者によって指定された優先度の高い用紙サイズの情報を取得している場合、選択回数に関係なく、指定された用紙サイズを、最も高い優先度の用紙サイズに決定する。優先度決定部１３Ｂｈは、決定結果を表示情報制御部１３Ｂｂに出力する。
【０１１３】
表示情報制御部１３Ｂｂは、優先度を示す表示を伴って、用紙候補推定部１３ａから取得される推定サイズを表示部１２に表示させる。例えば、表示情報制御部１３Ｂｂは、図２７に示すように、推定サイズのうちの最も高い優先度の用紙サイズを強調表示してもよい。また、表示情報制御部１３Ｂｂは、他の推定サイズを優先度の高い順に並べて表示してもよい。
【０１１４】
情報出力部１３Ｂｄは、入力部１１を介して選択された手差し供給部４０の用紙の情報を、装置依存情報制御部６２及び頻度カウント部１３Ｂｉに出力する。
【０１１５】
実施の形態３に係る画像形成装置のその他の構成及び動作は、実施の形態１又は２と同様であるため、その説明を省略する。そして、上述のような実施の形態３に係る画像形成装置によると、実施の形態１と同様の効果が得られる。
【０１１６】
さらに、実施の形態３に係る画像形成装置は、ユーザによって選択された用紙のサイズの頻度を蓄積する頻度蓄積部１３Ｂｊと、上記頻度に応じて、手差し供給部４０に配置された用紙の少なくとも１つの候補サイズの中の優先度を決定する優先度決定部１３Ｂｈとを備えてもよい。手差し設定部１３Ａは、優先度を示す表示を伴って、少なくとも１つの候補サイズを表示部１２に表示させてもよい。上記構成によると、ユーザが、表示部１２に表示される用紙の候補サイズの中から、手差し供給部４０に配置された用紙のサイズを選択することが、容易になる。
【０１１７】
また、実施の形態３に係る画像形成装置は、ユーザによる用紙のサイズの優先度の設定を受け付ける優先度受付部としての変更受付部１３Ｂｇをさらに備え、手差し設定部１３Ｂは、頻度に応じた優先度よりもユーザによって設定された優先度を優先して、用紙の少なくとも１つの候補サイズの中の優先度を決定してもよい。上記構成によると、画像形成装置は、ユーザによって設定された優先度をより優先的に反映して、用紙の候補サイズをユーザに提示することができる。よって、ユーザが、表示部１２に表示される用紙の候補サイズの中から、手差し供給部４０に配置された用紙のサイズを選択することが、容易になる。
【０１１８】
また、実施の形態３に係る画像形成装置では、頻度蓄積部１３Ｂｊは、手差し供給部４０に配置された用紙について、印刷の際に採用された用紙サイズの頻度を蓄積していたが、これに限定されない。頻度蓄積部１３Ｂｊは、手差し供給部４０及び給紙ユニット３６に配置された用紙について、印刷の際に採用された用紙サイズの頻度を蓄積してもよい。そして、手差し設定部１３Ｂは、当該頻度を用いてもよい。
【０１１９】
（実施の形態４）
実施の形態４に係る画像形成装置は、手差し供給部４０に配置された用紙について、各操作者によって過去に選択された用紙サイズの頻度に応じて、用紙の推定サイズの候補の優先度を決定し、優先度を示す表示を伴って推定サイズの候補を提示する。以下、実施の形態４について、実施の形態１〜３と異なる点を中心に説明し、実施の形態１〜３と同様の点の説明を適宜省略する。
【０１２０】
図２９は、実施の形態４に係る画像形成装置の手差し設定部１３Ｃの機能的な構成の一例を示すブロック図である。実施の形態４に係る画像形成装置の機能的な構成及びハードウェア構成は、実施の形態３と同様である。
【０１２１】
図２９に示すように、実施の形態４に係る手差し設定部１３Ｃは、実施の形態３に係る手差し設定部１３Ｂと同様の構成要素を有する。具体的には、手差し設定部１３Ｃは、候補表示制御部１３Ｃａｂと、入力情報受付部１３Ｃｃと、情報出力部１３Ｃｄと、変更受付部１３Ｃｇと、優先度決定部１３Ｃｈと、頻度カウント部１３Ｃｉと、頻度蓄積部１３Ｃｊとを含む。候補表示制御部１３Ｃａｂは、用紙候補推定部１３ａと表示情報制御部１３Ｃｂとを含む。
【０１２２】
変更受付部１３Ｃｇは、表示部１２に表示される用紙の推定サイズの候補の優先度に対する変更を、入力部１１を介して受け付ける。さらに、変更受付部１３Ｃｇは、画像形成装置のユーザの情報を、入力部１１での入力を介して取得する。変更受付部１３Ｃｇは、受け付けた変更及びユーザの情報を対応付けて、優先度決定部１３Ｃｈに出力する。なお、ユーザの情報は、画像形成装置の使用者の情報である。
【０１２３】
入力情報受付部１３Ｃｃは、画像形成装置のユーザの情報を、入力部１１での入力を介して取得し保持する。入力情報受付部１３Ｃｃは、手差し供給部４０に配置された用紙について、印刷の際に採用される用紙サイズ等の用紙の情報を、入力部１１での入力を介して取得し、当該用紙の情報とユーザの情報と対応付けて、情報出力部１３Ｃｄに出力する。ここで、入力情報受付部１３Ｃｃはユーザ情報受付部の一例である。
【０１２４】
情報出力部１３Ｃｄは、入力情報受付部１３Ｃｃから取得される用紙の情報を及びユーザの情報を、頻度カウント部１３Ｂｉに出力し、用紙の情報を装置依存情報制御部６２に出力する。
【０１２５】
頻度蓄積部１３Ｃｊは、手差し供給部４０を用いた過去の印刷の際に採用された用紙サイズの頻度を、ユーザ毎に且つ用紙サイズ毎に蓄積する。つまり、頻度蓄積部１３Ｃｊは、ユーザ毎に応じた用紙サイズのリストを保持する。また、頻度の対象期間は、実施の形態３と同様である。頻度蓄積部１３Ｃｊは、図３０に示すように、ユーザ毎に、用紙サイズ等に対応する用紙の名称と選択回数とを対応付けて記憶する。図３０は、実施の形態４に係る頻度蓄積部１３Ｃｊに記憶される情報の一例を示す図である。
【０１２６】
頻度カウント部１３Ｃｉは、手差し供給部４０に配置された用紙について、印刷の際に採用された用紙サイズの情報とこの用紙サイズを指定したユーザの情報とを、情報出力部１３Ｃｄから取得する。頻度カウント部１３Ｃｉは、用紙サイズの情報を取得する毎に頻度蓄積部１３Ｃｊを参照し、ユーザの情報及び用紙サイズに関する選択回数を１増やすことで、蓄積された選択回数を更新する。
【０１２７】
優先度決定部１３Ｃｈは、頻度蓄積部１３Ｃｊに蓄積される該当ユーザの用紙サイズの頻度に応じて、推定サイズの中の優先度を決定する。具体的には、優先度決定部１３Ｃｈは、表示情報制御部１３Ｃｂから推定サイズを取得し、入力情報受付部１３Ｃｃからユーザの情報を取得する。さらに、優先度決定部１３Ｃｈは、頻度蓄積部１３Ｃｊを参照し、当該ユーザに関する推定サイズそれぞれの選択回数を取得する。優先度決定部１３Ｃｈは、推定サイズの中で選択回数が最も多い推定サイズを、当該ユーザにとって最も高い優先度の用紙サイズに決定する。なお、優先度決定部１３Ｃｈは、他の推定サイズに対して、選択回数が多い順に優先度の順位を決めてもよい。また、優先度決定部１３Ｃｈは、変更受付部１３Ｃｇから、当該ユーザに対して指定された優先度の高い用紙サイズの情報を取得している場合、選択回数に関係なく、指定された用紙サイズを、最も高い優先度の用紙サイズに決定する。優先度決定部１３Ｃｈは、決定結果を表示情報制御部１３Ｃｂに出力する。
【０１２８】
表示情報制御部１３Ｃｂは、優先度を示す表示を伴って、用紙候補推定部１３ａから取得される推定サイズを表示部１２に表示させる。
【０１２９】
実施の形態４に係る画像形成装置のその他の構成及び動作は、実施の形態１〜３と同様であるため、その説明を省略する。そして、上述のような実施の形態４に係る画像形成装置によると、実施の形態３と同様の効果が得られる。
【０１３０】
さらに、実施の形態４に係る画像形成装置は、ユーザの情報の入力を受け付けるユーザ情報受付部としての入力情報受付部１３Ｃｃと、ユーザ毎に応じた用紙の候補サイズのリストを保持する保持部としての頻度蓄積部１３Ｃｊとを備えてもよい。手差し設定部１３Ｃは、入力情報受付部１３Ｃｃによって受け付けられたユーザの情報に対応する上記リストを参照し、用紙の少なくとも１つの候補サイズの中の当該リストに含まれている候補サイズを表示部１２に表示させてもよい。上記構成によると、画像形成装置は、各ユーザに対応した用紙の候補サイズを提示することができる。よって、ユーザが、表示部１２に表示される用紙の候補サイズの中から、手差し供給部４０に配置された用紙のサイズを選択することが、容易になる。
【０１３１】
また、実施の形態４に係る画像形成装置では、頻度蓄積部１３Ｃｊは、用紙の候補サイズのリストとして、ユーザ毎の用紙サイズ及び頻度を記憶していたが、当該リストはこれに限定されない。例えば、用紙の候補サイズのリストは、ユーザ毎に設定された使用され得る用紙サイズを含むだけでもよい。この場合、優先度決定部１３Ｃｈは、表示情報制御部１３Ｃｂから取得される用紙の推定サイズの中で、上記リストに含まれる推定サイズを優先度の高い用紙サイズに決定してもよい。
【０１３２】
（実施の形態５）
実施の形態５に係る画像形成装置は、手差しトレイ４２上に配置された用紙のサイズを自動的に検出する。以下、実施の形態５について、実施の形態１〜４と異なる点を中心に説明し、実施の形態１〜４と同様の点の説明を適宜省略する。
【０１３３】
図３１は、実施の形態５に係る画像形成装置１Ｄの手差し供給部４０Ｄの構成の一例を示す平面図である。図３２は、実施の形態５に係る画像形成装置１Ｄの機能的な構成の一例を示すブロック図である。画像形成装置１Ｄの機能的な構成は、手差し供給部４０Ｄを除き、実施の形態１と同様である。
【０１３４】
図３１及び図３２に示すように、手差し供給部４０Ｄは、実施の形態１の手差し供給部４０に加え、手差しトレイ４２上において、２つのガイド板４４の間に、第三検出部４７をさらに備える。第三検出部４７は、第三検出部４７上に用紙が存在するか否かを検出する。第三検出部４７は、２つのガイド板４４の間のいかなる用紙も検出できるように、２つのガイド板４４の中央付近且つ手差し供給口４１の近傍に配置されることが望ましい。第三検出部４７の構成は、第二検出部４６について例示した構成のいずれかであってもよい。第三検出部４７は、検出結果を手差し制御部５１に出力する。
【０１３５】
また、手差し供給部４０Ｄは、２つのガイド板４４を方向Ｄ１へ移動させるガイド駆動部４８を備える。ガイド駆動部４８は、アクチュエータと、アクチュエータの駆動力によって動作して２つのガイド板４４を方向Ｄ１へ移動させる駆動機構とを含む。アクチュエータは、手差し制御部５１によって制御される。
【０１３６】
手差し制御部５１は、第三検出部４７から用紙の検出の結果を取得すると、ガイド駆動部４８を動作させ、ガイド板４４を互いに向かって移動させる。手差し制御部５１は、用紙へのガイド板４４の接触を検出すると、ガイド駆動部４８を停止する。具体的には、手差し制御部５１は、用紙へのガイド板４４の接触を所定の時間以上継続して検出すると、ガイド駆動部４８を停止する。例えば、手差し制御部５１は、ガイド板４４に配置された接触センサにより、ガイド板４４と用紙との接触を検出してもよく、ガイド駆動部４８のアクチュエータの負荷により、ガイド板４４と用紙との接触を検出してもよい。
【０１３７】
手差し制御部５１は、ガイド駆動部４８の停止後、第一検出部４５及び第二検出部４６を動作させ、用紙の寸法を検出する。
【０１３８】
手差し制御部５１は、第三検出部４７により手差しトレイ４２上の用紙の存在が検出されないとき、２つのガイド板４４を互いから離れるように移動させて待機させてもよい。このときの２つのガイド板４４の間隔は、最大の間隔、又は、使用され得る用紙の最大幅以上であってもよい。これにより、手差しトレイ４２上への用紙の載置が容易になる。
【０１３９】
実施の形態５に係る画像形成装置のハードウェア構成は、手差し供給部４０Ｄを除き、実施の形態１と同様である。手差し供給部４０Ｄは、第一検出部４５、第二検出部４６，第三検出部４７、ガイド駆動部４８のアクチュエータ、ガイド板４４と用紙との接触を検出するセンサ等を備え、例えば、これらはバスを介して互いに接続されている。
【０１４０】
実施の形態５に係る画像形成装置１Ｄのその他の構成及び動作は、実施の形態１〜４と同様であるため、その説明を省略する。そして、上述のような実施の形態５に係る画像形成装置によると、実施の形態１と同様の効果が得られる。さらに、実施の形態５に係る画像形成装置によると、手差し供給部４０Ｄを用いた印刷が容易になる。
【０１４１】
（その他の実施の形態）
以上、本発明の実施の形態の例について説明したが、本発明は、上記実施の形態に限定されない。すなわち、本発明の範囲内で種々の変形及び改良が可能である。例えば、各種変形を実施の形態に施したもの、及び、異なる実施の形態における構成要素を組み合わせて構築される形態も、本発明の範囲内に含まれる。
【０１４２】
例えば、実施の形態に係る画像形成装置では、手差し設定部は、操作部１０での表示画面及び入力を介して各処理を行っていたが、これに限定されない。画像形成装置に接続されたコンピュータ装置２及び／又は画像形成装置にＰＢＸ３を介して接続された外部機器での表示画面及び入力を介して、手差し設定部が各処理を行うように構成されてもよい。
【０１４３】
また、本発明は記録媒体供給方法であってもよい。例えば、本発明に係る記録媒体供給方法は、手差し供給部を備える記録媒体供給装置の記録媒体供給方法であって、前記手差し供給部に配置された記録媒体の第一方向のサイズである第一サイズを検出するステップと、前記記録媒体の前記第一方向と異なる第二方向のサイズである第二サイズを検出するステップと、前記記録媒体供給装置が優先して使用する設定の情報である優先設定情報を取得するステップと、前記第一サイズと前記第二サイズと前記優先設定情報とに基づいて、前記記録媒体に関する少なくとも１つの候補サイズを推定するステップと、前記少なくとも１つの候補サイズを、前記記録媒体のサイズの候補として提示するステップとを含む。この記録媒体供給方法によれば、上記記録媒体供給装置と同様の効果が得られる。このような記録媒体供給方法は、ＣＰＵ、ＬＳＩなどの回路、ＩＣカード又は単体のモジュール等によって、実現されてもよい。
【０１４４】
また、上記で用いた序数、数量等の数字は、全て本発明の技術を具体的に説明するために例示するものであり、本発明は例示された数字に制限されない。また、構成要素間の接続関係は、本発明の技術を具体的に説明するために例示するものであり、本発明の機能を実現する接続関係はこれに限定されない。
【０１４５】
また、機能ブロック図におけるブロックの分割は一例であり、複数のブロックを一つのブロックとして実現する、一つのブロックを複数に分割する、及び／又は、一部の機能を他のブロックに移してもよい。また、類似する機能を有する複数のブロックの機能を単一のハードウェア又はソフトウェアが並列又は時分割に処理してもよい。
【符号の説明】
【０１４６】
１，１Ｄ  画像形成装置（記録媒体供給装置）
１１  入力部
１２  表示部
１３，１３Ａ，１３Ｂ，１３Ｃ  手差し設定部
１３ａｂ，１３Ａａｂ，１３Ｂａｂ，１３Ｃａｂ  候補表示制御部
１３Ａｅ  第一選択受付部
１３Ａｆ  第二選択受付部
１３Ｂｇ，１３Ｃｇ  変更受付部（優先度受付部）
１３Ｂｈ，１３Ｃｈ  優先度決定部
１３Ｂｊ，１３Ｃｊ  頻度蓄積部（保持部）
１３ｃ，１３Ｃｃ  入力情報受付部（ユーザ情報受付部）
１３Ｃｈ  優先度決定部
４０，４０Ｄ  手差し供給部
４２  手差しトレイ
４５  第一検出部
４６  第二検出部
６３  装置依存情報格納部（記憶部）
【先行技術文献】
【特許文献】
【０１４７】
【特許文献１】特開平９−２３０７５１号公報
【図１】
2020055664.tif 000003
【図２】
2020055664.tif 000004
【図３】
2020055664.tif 000005
【図４】
2020055664.tif 000006
【図５】
2020055664.tif 000007
【図６】
2020055664.tif 000008
【図７Ａ】
2020055664.tif 000009
【図７Ｂ】
2020055664.tif 000010
【図８】
2020055664.tif 000011
【図９】
2020055664.tif 000012
【図１０】
2020055664.tif 000013
【図１１】
2020055664.tif 000014
【図１２】
2020055664.tif 000015
【図１３】
2020055664.tif 000016
【図１４】
2020055664.tif 000017
【図１５】
2020055664.tif 000018
【図１６】
2020055664.tif 000019
【図１７】
2020055664.tif 000020
【図１８】
2020055664.tif 000021
【図１９】
2020055664.tif 000022
【図２０】
2020055664.tif 000023
【図２１】
2020055664.tif 000024
【図２２】
2020055664.tif 000025
【図２３】
2020055664.tif 000026
【図２４】
2020055664.tif 000027
【図２５】
2020055664.tif 000028
【図２６】
2020055664.tif 000029
【図２７】
2020055664.tif 000030
【図２８】
2020055664.tif 000031
【図２９】
2020055664.tif 000032
【図３０】
2020055664.tif 000033
【図３１】
2020055664.tif 000034
【図３２】
2020055664.tif 000035